(57)【特許請求の範囲】
【請求項１】
カメラ部を有する監視カメラ装置と、前記カメラ部により撮影された被写体の画像を表示する表示部を備えたる監視装置とでなるシステムにおける監視カメラ診断装置において、
前記監視カメラ装置に、前記カメラ部の撮影範囲内に配置された発光部と、該発光部に制御信号を出力して点滅させる制御部と、前記カメラ部により撮影された画像から前記発光部の点滅画像のみを抽出して、当該発光部の点滅時間を一周期として算出する点滅画像処理部と、該点滅画像処理部により算出された点滅時間と前記制御部の制御信号の周期とが一致するかどうかを比較し、その結果を前記監視装置の表示部に表示するカメラ稼動判別部とを設けたことを特徴とする監視カメラ診断装置。
【請求項２】
カメラ部を有する監視カメラ装置と、前記カメラ部により撮影された被写体の画像を表示する表示部を備えた監視装置とでなるシステムにおける監視カメラ診断装置において、
前記監視装置に、前記カメラ部の撮影範囲内に配置された発光部に制御信号を出力して点滅させる制御部と、前記カメラ部により撮影された画像から前記発光部の点滅画像のみを抽出して、当該発光部の点滅時間を一周期として算出する点滅画像処理部と、該点滅画像処理部により算出された点滅時間と前記制御部の制御信号の周期とが一致するかどうかを比較し、その結果を前記表示部に表示するカメラ稼動判別部とを設けたことを特徴とする監視カメラ診断装置。
【請求項３】
カメラ部を有する監視カメラ装置と、前記カメラ部により撮影された被写体の画像を表示する表示部を備えた監視装置とでなるシステムにおける監視カメラ診断装置において、
前記監視カメラ装置に、前記カメラ部の撮影範囲内に配置された発光部と、乱数生成部と、該乱数生成部により生成される乱数に基づいて前記発光部の点滅時間を設定する点滅時間設定部と、該点滅時間設定部により設定された点滅時間に基づいて前記発光部を点滅させると共に、当該点滅時間を情報として前記監視装置に送信し、かつ、前記カメラ部により撮影された画像を前記監視装置に送信する診断情報設定部とを設け、
前記監視装置に、受信された前記画像から前記発光部の点滅画像のみを抽出して、当該発光部の点滅時間を一周期として算出する点滅画像処理部と、受信された前記情報の点滅時間と前記点滅画像処理部により算出された点滅時間とが一致するかどうかを比較し、その結果を前記表示部に表示するカメラ稼動判別部とを設けたことを特徴とする監視カメラ診断装置。
【発明の詳細な説明】
【０００１】
【発明の属する技術分野】
本発明は、監視カメラ装置のカメラ部が正常に稼動しているか否かを診断する監視カメラ診断装置に関するものである。
【０００２】
【従来の技術】
従来、監視カメラ装置のカメラ部が正常に稼動しているか否かを診断する場合、遠隔地の監視装置からカメラ部の撮影機能（ズーム、フォーカス、パンチルト機構等）を操作して画像を取り込み、これを表示部に表示して目視で正常に稼動しているかどうかを確認していた。
【０００３】
【発明が解決しようとする課題】
前述した従来の診断方法では、係員が立ち合ってカメラ部の稼動状態を確認しなければならず、しかも、この診断を定期的に行っているため、人件費が嵩むという課題があった。
【０００４】
【課題を解決するための手段】
本発明に係る監視カメラ診断装置は、カメラ部を有する監視カメラ装置と、前記カメラ部により撮影された被写体の画像を表示する表示部を備えた監視装置とでなるシステムにおける監視カメラ診断装置において、前記監視カメラ装置に、前記カメラ部の撮影範囲内に配置された発光部と、該発光部に制御信号を出力して点滅させる制御部と、前記カメラ部により撮影された画像から前記発光部の点滅画像のみを抽出して、当該発光部の点滅時間を一周期として算出する点滅画像処理部と、該点滅画像処理部により算出された点滅時間と前記制御部の制御信号の周期とが一致するかどうかを比較し、その結果を前記監視装置の表示部に表示するカメラ稼動判別部とを設けたものである。
【０００５】
本発明においては、監視カメラ装置の制御部がカメラ部の撮影範囲内に配置された発光部に制御信号を出力して点滅させると、点滅画像処理部がカメラ部により撮影された画像を取り込んで発光部の点滅画像のみを抽出し、発光部の点滅時間を一周期として算出する。一方、カメラ稼動判別部は、点滅画像処理部により算出された点滅時間と制御部の制御信号の周期とが一致するかどうかを比較し、双方が一致するときはカメラ部が正常に稼働している旨を監視装置の表示部に表示し、双方が一致しないときはカメラ部の稼働が異常である旨をその表示部に表示する。
【０００６】
【発明の実施の形態】
実施の形態１．
図１は本発明の実施の形態１に係る監視カメラ診断装置の構成を示すブロック図である。
図において、監視カメラ装置１は、監視場所に応じて天井や壁等に取り付けられ、内部にカメラ部２と、カメラ制御部３と、駆動回路４と、バッファからなる画像格納部５とを備え、また、カメラ部２の撮影範囲内の例えば右下角部に位置するよう本装置１の筐体に固定された支持部（図示せず）の先端に自己診断用のＬＥＤ（発光部）６が設けられている。
【０００７】
前述したカメラ制御部３は、ＬＥＤ６を点滅させる点滅制御信号を出力するＬＥＤ制御部７と、点滅制御信号の入力に基づいてＬＥＤ６を点滅する駆動回路４と、カメラ部２により撮影された画像からＬＥＤ６の点滅画像のみを抽出して、その点滅画像よりＬＥＤ６の点灯開始から消灯終了までの点滅時間を一周期として算出する点滅画像処理部８と、ＬＥＤ制御部７から出力された点滅制御信号を保持し、点滅画像処理部８により算出された点滅時間が設定されたとき点滅制御信号の周期と比較し、双方が一致するときはカメラ部２の稼動が正常である情報を通信回線６０を介して監視センタの監視装置１１に送信し、双方が一致しないときはカメラ部２の稼動に異常がある情報を送信するカメラ稼動判別部９とを備えている。
【０００８】
また、カメラ制御部３は、監視装置１１から送信された監視開始信号が受信されたときは、カメラ部２を稼動して撮影範囲内の被写体の画像を１フレーム毎に画像格納部５に格納すると共に、その１フレームの画像情報を通信回線６０を介して監視装置１１に送信し、診断開始信号が受信されたときは、監視機能から診断機能に切り替えて、前述したＬＥＤ制御部７、点滅画像処理部８及びカメラ稼動判別部９を作動させる。監視装置１１は、監視カメラ装置１からの各情報に基づいて表示部１２に表示する。
【０００９】
次に、実施の形態１の動作を図２に示すフローチャートに基づいて説明する。なお、監視カメラ装置１のカメラ部２が撮影範囲内の被写体を撮影していて、監視装置１１の表示部１２にその画像が表示されているものとする。
この状態において、監視装置１１からの診断開始信号が受信されると、監視カメラ装置１のカメラ制御部３が監視機能から診断機能に切り替える。この時、ＬＥＤ制御部７がＬＥＤ６を点滅させる点滅制御信号を駆動回路４とカメラ稼動判別部９とに出力し（Ｓ１）、駆動回路４は点滅制御信号に基づいてＬＥＤ６を点滅させる（Ｓ２）。このＬＥＤ６の点滅のタイミングはカメラ部２のシャッタ速度と画像の転送速度とを考慮して設定されている。
【００１０】
一方、点滅画像処理部８は、カメラ部２により撮影された画像を取り込んでＬＥＤ６の点滅画像のみを抽出して（Ｓ３）、その点滅画像よりＬＥＤ６の点灯開始から消灯終了までの点滅時間を一周期として算出し（Ｓ４）、カメラ稼動判別部９に出力する。カメラ稼動判別部９は、点滅画像処理部８により算出された点滅時間が入力されると、ＬＥＤ制御部７からの点滅制御信号の周期と一致するかどうかを比較し（Ｓ５）、双方が一致するときはカメラ部２の稼動が正常である情報を通信回線６０を介して監視センタの監視装置１１に送信し（Ｓ６）、双方が一致しないときはカメラ部２の稼動に異常がある情報を監視装置１１に送信する（Ｓ７）。
【００１１】
このように、ＬＥＤ６を点滅させる点滅制御信号の周期とＬＥＤ６の点滅画像から算出した点滅時間とが一致したときカメラ部２が正常に稼動していると判断し、双方が一致しないときは異常と判断して、その旨を監視装置１１の表示部１２に表示するようにしたので、係員が立ち合ってカメラ部２の稼動状態を確認するという必要がなくなり、定期診断に要する人件費を削減できるという効果がある。
【００１２】
実施の形態２．
図３は本発明の実施の形態２に係る監視カメラ診断装置の構成を示すブロック図である。
実施の形態２の監視カメラ装置２１は、カメラ部２と、駆動回路４と、画像格納部５と、カメラ部２の撮影範囲内の右下角部に位置するよう設けられた自己診断用のＬＥＤ６と、カメラ制御部２２とを備えている。このカメラ制御部２２は、診断開始信号が受信されたとき監視機能から診断機能に切り替え、次いで、点滅制御信号が受信されたときは、その制御信号を駆動回路４に出力してＬＥＤ６を点滅させ、そして、この時に入力されるカメラ部２からの画像を１フレーム毎に画像格納部５に格納すると共に、その画像を監視装置３１に送信するようになっている。
【００１３】
前記の監視装置３１は本体部３２と表示部３６とからなり、本体部３２には、カメラ部２の前方の所定位置に配置されたＬＥＤ６を点滅させる点滅制御信号をカメラ制御部２２に送信するＬＥＤ制御部３３と、受信された画像からＬＥＤ６の点滅画像のみを抽出して、その点滅画像よりＬＥＤ６の点滅時間を一周期として算出する点滅画像処理部３４と、ＬＥＤ制御部３３からの点滅制御信号を保持し、点滅画像処理部３４により算出された点滅時間が入力されたとき点滅制御信号の周期と比較し、双方が一致するときはカメラ部２の稼動が正常である情報を表示部３６に表示し、双方が一致しないときはカメラ部２の稼動に異常がある情報を表示部３６に表示するカメラ稼動判別部３６とを備えている。
【００１４】
次に、実施の形態２の動作を説明する。監視装置３１から診断開始信号を送信して監視カメラ装置２１の機能を診断機能に切り替えさせ、次いで、点滅制御信号を送信してＬＥＤ６を点滅させると、ＬＥＤ６の点滅を含む画像が監視カメラ装置２１から送信される。この時、点滅画像処理部３４は、受信された画像からＬＥＤ６の点滅画像を抽出してＬＥＤ６の点滅時間を一周期として算出し、カメラ稼動判別部３５に出力する。カメラ稼動判別部９は、点滅画像処理部３４により算出された点滅時間が入力されると、点滅制御信号の周期と一致するかどうかを比較し、双方が一致するときはカメラ部２の稼動が正常である情報を表示部３６に表示し、双方が一致しないときはカメラ部２の稼動に異常がある情報を表示部３６に表示する。
【００１５】
以上のように実施の形態２においては、監視装置３１から監視カメラ装置２１のＬＥＤ６を点滅させてその時の画像を受信し、そして、ＬＥＤ６の点滅画像を抽出して点滅時間を算出して点滅制御信号の周期とが一致するかどうかを比較するようにしたので、比較結果のみを受信するように構成された実施の形態１と比べ、偽の比較結果を受信するという危険性がなくなり、防犯としての機能を向上させることができるという効果がある。
なお、ＬＥＤ制御部３３から出力される点滅制御信号の周期を例えば入力装置（キーボード）によって変更するようにしてもよい。
【００１６】
実施の形態３．
図４は本発明の実施の形態３に係る監視カメラ診断装置の構成を示すブロック図である。
実施の形態３の監視カメラ装置４１は、カメラ部２と、駆動回路４と、画像格納部５と、前記と同様の位置に配置された自己診断用のＬＥＤ６と、カメラ制御部４２とを備えている。このカメラ制御部４２は、乱数生成部４３と、乱数生成部４３により生成された例えば最初の乱数をＬＥＤ６の点灯時間とし、次の乱数を消灯時間とする点滅時間を一周期として設定する点滅時間設定部４４と、点滅時間設定部４４により設定された点滅時間に基づく点滅制御信号を駆動回路４に出力すると共に、その点滅時間を情報として後述する監視装置５１に送信し、かつ、カメラ部２により撮影された画像を画像格納部５を介してその監視装置５１に送信する診断情報設定部４５とを備えている。
【００１７】
前記監視装置５１は本体部５２と表示部５５とからなり、本体部５２には、監視カメラ装置４１からの画像からＬＥＤ６の点滅画像のみを抽出して、ＬＥＤ６の点滅時間を一周期として算出する点滅画像処理部５３と、監視カメラ装置４１からの点滅時間の情報と点滅画像処理部５３により算出された点滅時間とが一致するかどうかを比較し、双方が一致するときはカメラ部２の稼動が正常である情報を表示部５５に表示し、双方が一致しないときはカメラ部２の稼動に異常がある情報を表示部５５に表示するカメラ稼動判別部５４とを備えている。
【００１８】
次に、実施の形態３の動作を説明する。監視装置５１からの診断開始信号が監視カメラ装置４１に受信されると、カメラ制御部４２が監視機能から診断機能に切り替え、次いで、点滅制御信号が受信されたときは、カメラ制御部４２の乱数生成部４３が乱数を生成する。この時、点滅時間設定部４４は、乱数生成部４３により生成された乱数に基づいてＬＥＤ６の点滅時間を設定し、それを診断情報設定部４５に通知する。この診断情報設定部４５は、点滅時間設定部４４により通知された点滅時間に基づく点滅制御信号を駆動回路４に出力してＬＥＤ６を点滅させると共に、その点滅時間を情報として監視装置５１に送信する。そして、この時にカメラ部２で撮影された画像を１フレーム毎に画像格納部５に格納すると共に、その画像を監視装置５１に送信する。
【００１９】
一方、監視装置５１の点滅画像処理部５３は、監視カメラ装置４１からの画像が受信されるとＬＥＤ６の点滅画像のみを抽出して、ＬＥＤ６の点滅時間を一周期として算出し、カメラ稼動判別部５４に設定する。カメラ稼動判別部５４は、点滅画像処理部５３により算出された点滅時間が設定されると、監視カメラ装置４１からの情報の点滅時間と比較し、双方が一致するときはカメラ部２の稼動が正常である情報を表示部５５に表示し、双方が一致しないときはカメラ部２の稼動に異常がある情報を表示部５５に表示する。
【００２０】
以上のように実施の形態３においては、監視カメラ装置４１が乱数に基づく点滅時間でＬＥＤ６を点滅させて、その時の画像と点滅時間の情報とを監視装置５１に送信し、監視装置５１がその画像からＬＥＤ６の点滅画像を抽出して点滅時間を算出し情報の点滅時間と比較するようにしたので、ＬＥＤ６を点滅させる点滅制御信号が傍受されて疑似の点滅画像が監視装置５１の送信されるということがなくなるという効果がある。
【００２１】
【発明の効果】
以上のように本発明によれば、制御信号によって点滅する発光部の点滅画像から点滅時間を算出してその制御信号の周期と一致するかどうかを比較し、その結果を監視装置の表示部に表示するようにしたので、係員が立ち合ってカメラの稼動状態を確認するという必要がなくなり、定期診断に要する人件費を削減できるという効果がある。
【図面の簡単な説明】
【図１】本発明の実施の形態１に係る監視カメラ診断装置の構成を示すブロック図である。
【図２】実施の形態１の動作を示すフローチャートである。
【図３】本発明の実施の形態２に係る監視カメラ診断装置の構成を示すブロック図である。
【図４】本発明の実施の形態３に係る監視カメラ診断装置の構成を示すブロック図である。
【符号の説明】
１  監視カメラ装置
２  カメラ部
３  カメラ制御部
４  駆動回路
５  画像格納部
６  ＬＥＤ
７  ＬＥＤ制御部
８  点滅画像処理部
９  カメラ稼動判別部
１１  監視装置
１２  表示部
【図１】
0004304850.tif 000002
【図２】
0004304850.tif 000003
【図３】
0004304850.tif 000004
【図４】
0004304850.tif 000005